(57)【特許請求の範囲】
【請求項１】
第１の周波数の信号及び当該第１の周波数より低い第２の周波数の信号を送信又は受信するアンテナと、
前記アンテナにより前記第１の周波数の信号又は前記第２の周波数の信号が送信又は受信される際に誘起される高周波電流が伝送される導電部と、
前記導電部に電気的に接続される高周波調整部と、
第１の電子部品と、
第２の電子部品と、を有し、
前記導電部は、前記第１の電子部品と前記第２の電子部品とを電気的に接続する信号線を含み、
前記高周波調整部は、前記信号線に配設されて前記第１の周波数の信号を減衰させる第１帯域阻害素子及び前記信号線において前記アンテナから前記第１帯域阻害素子よりも離れた位置に配設され前記第２の周波数の信号を減衰させる第２帯域阻害素子から成り、前記信号線に伝送される前記高周波電流を減衰させることで、前記導電部における前記高周波電流の経路長を前記第１の周波数及び前記第２の周波数に対応する長さに調整する、ことを特徴とする通信機器。
【請求項２】
前記導電部は、基準電位に電気的に接続される、ことを特徴とする請求項１に記載の通信機器。
【請求項３】
第１の筐体と、
第２の筐体と、
前記第１の筐体と前記第２の筐体とを連結する連結部と、を有し、
前記第１の電子部品は前記第１の筐体に配設され、
前記第２の電子部品は前記第２の筐体に配設され、
前記信号線は、前記連結部の内部を介して前記第１の電子部品と前記第２の電子部品とを電気的に接続し、
前記高周波調整部は、前記信号線において前記連結部の内部に配設される部分に電気的に接続される、ことを特徴とする請求項１に記載の通信機器。
【請求項４】
前記信号線は、前記第１の電子部品と前記第２の電子部品との間で信号を伝送する信号伝送線と、前記第１の電子部品の基準電位部と前記第２の電子部品の基準電位部とを接続する接地線とを有し、
前記高周波調整部は、前記接地線に設けられる、ことを特徴とする請求項１又は請求項３に記載の通信機器。
【発明の詳細な説明】
【技術分野】
【０００１】
本発明は、アンテナを有する通信機器に関する。
【背景技術】
【０００２】
周波数の異なる複数の信号を送信又は受信するアンテナを有する通信機器が近年増えている。一般に、このような通信機器においては、アンテナ効率の低減を抑制するために、送信又は受信される信号の周波数に応じて、例えばＧＮＤ等の導電部に誘起される高周波電流の経路長を調整する必要がある。
【０００３】
ここで、導電部に誘起される高周波電流の経路長を調整することのできる通信機器としては、例えば、第１の周波数の信号又は第２の周波数の信号を送信又は受信するアンテナと、前記アンテナにより前記第１の周波数の信号又は前記第２の周波数の信号が送信又は受信される際に誘起される高周波電流が伝送される第１の導電部と、前記導電部に電気的に接続可能に構成される第２の導電部と、第１の導電部と第２に導電部との接続状態に応じて前記第１の導電部に伝送される前記高周波電流の経路長を前記第１の周波数及び前記第２の周波数に対応する長さに調整する調整部と、を有することを特徴とする技術が知られている（例えば、特許文献１を参照）。
【特許文献１】ＷＯ２００４／０４７２２１
【発明の開示】
【発明が解決しようとする課題】
【０００４】
しかし、特許文献１の技術では、導電部に誘起される高周波電流の経路長を調整するために、第１の導電部と第２の導電部とを物理的に接続する必要があり、レイアウト上大きな制限が生じるという課題があった。
【０００５】
本発明では、上述の課題に鑑みてなされたものであり、その目的の一つは、レイアウト上の制限を抑制しつつ、導電部に誘起される高周波電流の経路長の調整を可能とし、もって、アンテナ効率の低減を抑制することのできる通信機器を提供することにある。
【課題を解決するための手段】
【０００６】
本発明に係る通信機器は、上記課題を解決するために、第１の周波数の信号及び当該第１の周波数より低い第２の周波数の信号を送信又は受信するアンテナと、前記アンテナにより前記第１の周波数の信号又は前記第２の周波数の信号が送信又は受信される際に誘起される高周波電流が伝送される導電部と、前記導電部に電気的に接続される高周波調整部と、第１の電子部品と、第２の電子部品と、を有し、前記導電部は、前記第１の電子部品と前記第２の電子部品とを電気的に接続する信号線を含み、前記高周波調整部は、前記信号線に配設されて前記第１の周波数の信号を減衰させる第１帯域阻害素子及び前記信号線において前記アンテナから前記第１帯域阻害素子よりも離れた位置に配設され前記第２の周波数の信号を減衰させる第２帯域阻害素子から成り、前記信号線に伝送される前記高周波電流を減衰させることで、前記導電部における前記高周波電流の経路長を前記第１の周波数及び前記第２の周波数に対応する長さに調整する、ことを特徴とする。
【０００７】
また、上記通信機器では、前記導電部は、基準電位に電気的に接続される、ことが好ましい。
【０００９】
また、上記通信機器では、第１の筐体と、第２の筐体と、前記第１の筐体と前記第２の筐体とを連結する連結部と、を有し、前記第１の電子部品は前記第１の筐体に配設され、前記第２の電子部品は前記第２の筐体に配設され、前記信号線は、前記連結部の内部を介して前記第１の電子部品と前記第２の電子部品と電気的に接続し、前記高周波調整部は、前記信号線において前記連結部の内部に配設される部分に電気的に接続される、ことが好ましい。
【００１０】
また、上記通信機器では、前記信号線は、前記第１の電子部品と前記第２の電子部品との間で信号を伝送する信号伝送線と、前記第１の電子部品の基準電位部と前記第２の電子部品の基準電位部とを接続する接地線とを有し、前記高周波調整部は、前記接地線に設けられる、ことが好ましい。
【発明の効果】
【００１２】
本発明によれば、レイアウト上の制限を抑制しつつ、導電部に誘起される高周波電流の経路長の調整を可能とし、もって、アンテナ効率の低減を抑制することができる通信機器を提供することができる。
【発明を実施するための最良の形態】
【００１３】
以下、図面を参照して本発明を実施するための最良の形態を説明する。なお、以下、通信機器の一例として携帯電話機について説明するが、本発明はこれに限定されるものではなく、ＰＨＳ（Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン等であっても良い。
【００１４】
図１から図３により、携帯電話機１における基本構造を説明する。図１は、携帯電話機１を開いた状態（第１開状態）における正面図を示す。また、図２（Ａ）は、携帯電話機１を開いた状態における左側面図を示し、図２（Ｂ）は、携帯電話機１を開いた状態における右側面図を示す。また、図３は、携帯電話機１を開いた状態における背面図を示す。
【００１５】
携帯電話機１は、操作部側筐体２と、表示部側筐体３とを備える。操作部側筐体２と表示部側筐体３とは２軸ヒンジ機構を備える連結部４を介して連結され、該携帯電話機１を開状態及び閉状態に変形可能とすると共に、開状態及び閉状態それぞれにおいて表示部側筐体３を表状態と裏状態とに切り替えることができる。
【００１６】
ここで、閉状態とは、両筐体が互いに重なるように配置された状態であり、開状態とは、両筐体が互いに重ならないように配置された状態をいう。そして、開状態における表状態とは、後述する表示部側筐体３における表面３ａに配置されるディスプレイ３０と、操作部側筐体２における表面２ａに配置される操作キー群１１とが同じ側を向くように配置された状態であり、裏状態とは、表示部側筐体３におけるディスプレイ３０と操作部側筐体２における操作キー群１１とが反対側を向くように配置された状態をいう。また、閉状態における表状態とは、表示部側筐体３におけるディスプレイ３０が操作部側筐体２における操作キー群１１に対向するように配置された状態であり、閉状態における裏状態とは、表示部側筐体３におけるディスプレイ３０が操作部側筐体２における操作キー群１１と対向せずに表出した状態である。
【００１７】
操作部側筐体２は、外面がフロントケース２ａとリアケース２ｂとにより構成される。この操作部側筐体２は、フロントケース２ａ側に、操作キー群１１と、携帯電話機１の使用者が通話時に発した音声が入力される音声入力部１２とがそれぞれ露出するように構成される。ここで、操作キー群１１は、各種設定や電話帳機能やメール機能等の各種機能を作動させるための機能設定操作キー１３と、電話番号の数字やメール等の文字等を入力するための入力操作キー１４と、各種操作における決定や上下左右方向のスクロール等を行う決定操作キー１５と、から構成されている。また、音声入力部１２は、操作部側筐体２の長手方向における連結部４側とは反対の外端部側に配置される。つまり、音声入力部１２は、携帯電話機１が開状態において一方の外端部側に配置される。
【００１８】
操作キー群１１を構成する各キーそれぞれには、操作部側筐体２と表示部側筐体３との開閉状態や表裏状態等の変形状態や、起動されているアプリケーションの種類に応じて所定の機能が割り当てられる（キー・アサイン）。携帯電話機１において、操作キー群１１を構成する各キーが使用者により押圧されることで、各キーに割り当てられている機能に応じた動作が実行される。
【００１９】
操作部側筐体２における一方の側面には、図２（Ａ）に示すように、外部機器（例えば、ホスト装置）とデータの送受信を行うためのインターフェース１６と、ヘッドホン／マイク端子１７と、着脱可能な外部メモリのインターフェース１８と、バッテリーを充電するための充電端子１９とが設けられている。なお、インターフェース１６、ヘッドホン端子／マイク端子１７及びインターフェース１８は、不使用時において着脱可能な防塵対策用のキャップで覆われている。
【００２０】
操作部側筐体２における他方の側面には、図２（Ｂ）に示すように、一対のサイドキー２０と、撮像時に使用される操作キー２１と、電波の受信角度を調整可能な放送波受信用のアンテナ２２とが配置される。このサイドキー２０には、操作部側筐体２と表示部側筐体３との開閉状態や表裏状態等の変形状態や、起動されているアプリケーションの種類に応じて所定の機能が割り当てられる（キー・アサイン）。ここで、上述と同様に、サイドキー２０が使用者により押圧されることで、携帯電話機１においてサイドキー２０に割り当てられている機能に応じた動作が実行される。
【００２１】
操作部側筐体２のリアケース２ｂには、図３に示すように、被写体を撮像するカメラ部２３と、被写体に光を照射するライト部２４とが露出して配置される。このカメラ部２３とライト部２４とは、操作部側筐体２における連結部４側に配置される。また、操作部側筐体２におけるリアケース２ｂには、バッテリーの収容部にバッテリーを装着するための開口部が形成されると共に、該開口部を塞ぐようにバッテリーリッド２５が配置される。
【００２２】
また、操作部側筐体２の上端部と表示部側筐体３の下端部とは、図１から図３に示すように、２軸ヒンジ機構を備える連結部４を介して連結される。連結部４における一方の面（裏面）には、図３に示すように、副操作キー群３３が該携帯電話機１の幅方向（短手方向）において一列に並んで配置される。この副操作キー群３３を構成する各キーそれぞれには、操作部側筐体２と表示部側筐体３との開閉状態や表裏状態等の変形状態や、起動されているアプリケーションの種類に応じて所定の機能が割り当てられる（キー・アサイン）。携帯電話機１において、操作キー群１１を構成する各キーが使用者により押圧されることで、各キーに割り当てられている機能に応じた動作が実行される。
【００２３】
また、表示部側筐体３は、外面がフロントケース３ａとリアケース３ｂにより構成される。表示部側筐体３におけるフロントケース３ａには、図１に示すように、各種情報を表示するための所定形状のディスプレイ３０と、通話の相手側における音声を出力する音声出力部３１とが露出するように配置される。ここで、音声出力部３１は、表示部側筐体３の長手方向における連結部４とは反対の外端部側に配置される。つまり、音声出力部３１は、携帯電話機１が開状態において他方の端部側に配置される。
【００２４】
また、表示部側筐体３のリアケース３ｂには、図３に示すように、各種情報を表示するためのサブディスプレイ３２が露出して配置される。ディスプレイ３０及びサブディスプレイ３２それぞれは、液晶パネルと、この液晶パネルを駆動する駆動回路と、この液晶パネルの背面側から光を照射するバックライト等の光源部とから構成される。
【００２５】
また、図４は、操作部側筐体２の上端部と表示部側筐体３の下端部との間に設けられた２軸ヒンジ機構を備える連結部４の透視図である。連結部４と表示部側筐体３の下端部との間には、信号線１０１（導電部の一つ）が配置されている。また、携帯電話機１は、この信号線１０１を覆うと共に、連結部４（連結部）と表示部側筐体３とを連結する第２連結部１０５を有する。
【００２６】
操作部側筐体２に設けられた回路基板７０（第１の電子部品）には信号線１０１の一端が接続されており、信号線１０１は第２連結部１０５及び連結部４内を経由し、表示部側筐体３に設けられた回路基板１０６（第２の電子部品）には信号線１０１の他端が接続されている。また、回路基板７０には図示しない基準電位部が形成されている。
【００２７】
また、図４に示すように、操作部側筐体２の内面上部は回路基板７０の基準電位部と電気的に接続されたＧＮＤ面１１３が設けられている。このＧＮＤ面１１３に対向してＧＮＤ面１１３と容量結合により電気的に接続されたＧＮＤ面１１１が連結部４の下部にＧＮＤ面１１１が設けられている。
【００２８】
また、操作部側筐体２の端部であって連結部４が設けられた側の反対側には、複数の周波数（例えば８００ＭＨｚ（第１の周波数）、１．５ＧＨｚ（第２の周波数）、２ＧＨｚ）に係る信号を送信又は受信可能に構成されるアンテナ部８０が配設される（図５、図７参照）。
【００２９】
つぎに、図５を参照して、アンテナ部８０により、信号が送信又は受信された際に設定される高周波電流の伝搬（伝送）経路について説明する。なお、本説明においては、操作部側筐体２と連結部４とを含めた一体構成を本発明における第１の筐体とし、表示部側筐体３を第２の筐体とする。また、高周波電流が伝搬される領域が本発明の導電部を構成する。
【００３０】
携帯電話通信に用いられる８００ＭＨｚ帯や、１．５ＧＨｚ帯や、２ＧＨｚ帯等の高周波電流は、原則としてプリント基板や金属の全体を伝搬する一方で、このような高周波電流は、端面を伝搬しやすいという特性があるので、携帯電話機１上の高周波電流の伝搬経路は、図５に示すように主として２系統に分かれることになる。
【００３１】
そして、図５に示すように、到来波Ｗが携帯電話機１に設けられたアンテナ部８０のエレメントに共振され高周波電流が誘起された場合、一方はアンテナ部８０の給電端子Ｑ１から高周波電流Ｉ１１が回路基板７０の基準電位部に沿って左方向に進み、回路基板７０の端点Ｐ１１から回路基板７０上の端点Ｐ１２、端点Ｐ１２と電気的に接続されたＧＮＤ面１１３から容量結合された連結部４のＧＮＤ面１１１、連結部４のＧＮＤ面１１１から連結部４のＧＮＤ面１０９、連結部４のＧＮＤ面１０９から第２連結部１０５内を挿通する信号線１０１を介して表示部側筐体３へ流れ、表示部側筐体３のＧＮＤ面１０７から回路基板１０６上の端点Ｐ１５、端点Ｐ１５から回路基板１０６上の端点Ｐ１６へと伝搬されることで電気的なグランド経路が形成される。
【００３２】
他方、アンテナ部８０の給電端子Ｑ２から高周波電流Ｉ２１が回路基板７０の基準電位部に沿って右方向に進み、回路基板７０の端点Ｐ２１から回路基板７０上の端点Ｐ２２、端点Ｐ２２と電気的に接続されたＧＮＤ面１１３から容量結合された連結部４のＧＮＤ面１１１、連結部４のＧＮＤ面１１１から連結部４のＧＮＤ面１０９、連結部４のＧＮＤ面１０９から第２連結部１０５内を挿通する信号線１０１を介して表示部側筐体３へ流れ、表示部側筐体３のＧＮＤ面１０７から回路基板１０６上の端点Ｐ２５、端点Ｐ２５から回路基板１０６上の端点Ｐ２６へと伝搬されることで電気的なグランド経路が形成される。また、高周波電流は、回路基板７０と回路基板１０６とを電気的に接続する信号線１０１を介しても伝送される。
【００３３】
ここで、アンテナ部８０の放射効率について説明する。アンテナ部８０は、単一の構成により周波数の異なる複数の信号の送受信を行う。このように複数の周波数の信号を送信又は受信するアンテナにおいては、アンテナ効率の低減を抑制するために、送信又は受信される信号の周波数に応じて、先に説明したグランド経路における高周波電流の経路長を調整する必要がある。したがって、送受信する信号の周波数に応じてアンテナ部８０の長さを高周波的に変更する必要がある。本発明では、簡易な構成により周波数の異なる複数の信号に対してそれぞれの周波数帯域においてアンテナ効率を向上することを目的の一つにしている。
【００３４】
このような目的を達成する本発明に係る携帯電話機１の構成について図６を用いて詳細に説明する。なお、図６は、連結部４を拡大して模式的に表してある。携帯電話機１は、連結部４の内部を挿通して回路基板７０及び回路基板１０６と電気的に接続する信号線１０１と、連結部４の内部に配設されると共に、所定の周波数帯域の信号を遮断する遮断部１２０（高周波調整部）と、を備える。また、アンテナ部８０は、周波数の異なる複数の信号の送受信に用いられる。また、信号線１０１は、信号が伝送される信号伝送線１０１Ａと、回路基板７０の接地部と回路基板１０６の接地部とを同電位に接続する接地線１０１Ｂとを含んでいる。遮断部１２０は、信号線１０１のうち、接地線１０１Ｂに配設されている。また、本実施例においては、遮断部１２０として帯域阻害素子（ビーズやＢＰＦ（バンドパスフィルタ）等）を想定している。
【００３５】
また、例えば、アンテナ部８０は、８００ＭＨｚ、１．５ＧＨｚ及び２．０ＧＨｚの信号の送受信に用いられるとした場合、この３つの周波数に対応した遮断部１２０をそれぞれ接地線１０１Ｂに配置する。図６では、それぞれの周波数に対応する減衰量を有する遮断部１２０が接地線１０１Ｂに三つずつ配置されている。
【００３６】
また、一般的に、アンテナ部８０により送信又は受信される信号の周波数が高い場合には、短波長になるため誘起される高周波電流の適切な経路長も短くなり、また、当該周波数が低い場合には、長波長になるため誘起される高周波電流の適切な経路長も長くなる。したがって、高い周波数帯に対応する遮断部１２０ほど高周波電流の減衰量が大きくなるように構成される。例えば、８００ＭＨｚと、１．５ＧＨｚと、２ＧＨｚとに対応する場合、２ＧＨｚに対応する遮断部１２０が最も高周波電流の減衰量が大きいものを使用する。なお、上述した３つの各周波数の高周波電流の経路長の長さの模式的なイメージを図７に示す。図７中の（ａ）は、８００ＭＨｚのときの高周波電流の経路長の模式的な長さであり、図７中の（ｂ）は、１．５ＧＨｚのときの高周波電流の経路長の模式的な長さであり、図７中の（ｃ）は、２．０ＧＨｚのときの高周波電流の経路長の模式的な長さである。ここで、高周波電流の経路長の模式的な長さとは、例えば、送信又は受信される信号の４分の１波長に対応する長さをいう。なお、高周波電流の経路長の模式的な長さは、このように４分の１波長に対応する長さでなくとも、２分の１の波長、１波長、２波長・・ｎ波長に対応する長さであっても良い。
【００３７】
本発明では、各周波数に適した遮断部１２０を選択して配置することにより、通信を行う際に、当該通信に係る周波数に適したものに高周波的なＧＮＤラインの長さを決定することができるので、周波数の異なる複数の信号に対してそれぞれの周波数帯域においてアンテナ効率を向上することができる。
【００３８】
＜他の実施例１＞
つぎに、他の実施例について説明する。携帯電話機１は、図８に示すように、アンテナ部８０により送受信される信号の周波数を識別する周波数識別部２０１（判定部、制御部）を備える。このような構成の場合には、接地線１０１Ｂには、アンテナ部８０により送受信される周波数の異なる複数の信号に対応する数の遮断部１２０がスイッチ２０２（スイッチ）を介して配設されている。また、周波数識別部２０１は、識別した周波数に基づいてグランド経路における当該周波数に係る高周波電流の経路長が所定の長さになるようにスイッチ２０２を切り替える。周波数識別部２０１は、アンテナ部８０に接続され、高周波信号処理を行うＲＦ回路部３０１と、主制御部３０２と、主制御部３０２の制御に応じてスイッチ２０２を切り替える周波数切替制御回路３０３と、とを備える。なお、遮断部１２０は、ＬＰＦ（Ｌｏｗ  Ｐａｓｓ  Ｆｉｌｔｅｒ）により構成されても良い。
【００３９】
本発明では、各周波数に適した遮断部１２０をスイッチ２０２による切り替えによって選択することにより、通信を行う際に、当該通信に係る周波数に適したものに高周波電流の経路長を決定することができるので、周波数の異なる複数の信号に対してそれぞれの周波数帯域においてアンテナ効率を向上することができる。
【００４０】
＜他の実施例２＞
また、本発明に係る携帯電話機１では、図９に示すように、アンテナ部８０により送受信される周波数の異なる信号に対応する数の遮断部１２０が信号伝送線１０１Ａに配設されても良い。高周波的な視点で見ると、信号が伝送される信号伝送線１０１ＡもＧＮＤ（基準電位）として扱われるためである。したがって、信号伝送線１０１Ａにも遮断部１２０を配置することにより、さらにアンテナ効率の向上を図ることができる。なお、信号伝送線１０１Ａに配置する遮断部１２０は、信号伝送線１０１Ａを伝送する信号の波形に影響を与えないものにする必要がある。また、このように信号伝送線１０１Ａに遮断部１２０が配設されることにより、ノイズの影響を特に受けやすい連結部４の内部において信号伝送線１０１Ａから放射されるノイズや信号伝送線１０１Ａに侵入するノイズが遮断部１２０により低減されるという効果も得ることができる。
【００４１】
＜他の実施例３＞
また、本発明に係る携帯電話機１では、図１０に示すように、表示部側筐体のフレームＧＮＤ４０１（導電部の一つ）に遮断部１２０が配設されている構成であっても良い。なお、上述の＜他の実施例１＞と同様、スイッチ２０２に対応する構成を有していても良い。
【００４２】
また、遮断部１２０は、フレームＧＮＤのＧＮＤレベルを強くするか弱くするかを決定するビーズやローパスフィルタにより構成される。また、フレームＧＮＤに遮断部１２０を配置する目的は、周波数の異なる複数の信号に対してそれぞれの周波数帯域においてアンテナ効率を向上させるためである。また、アンテナ部８０により送受信される周波数の異なる信号に対応する数の遮断部１２０が信号伝送線１０１Ａに配設されても良い。このように構成されることにより、さらにアンテナ効率の向上を図ることができる。
【００４３】
ここで、上述した実施例に係る本発明の構成について以下にまとめる。
本発明に係る通信機器では、第１の周波数の信号（例えば、８００ＭＨｚ）及び第２の周波数（例えば、１．５ＧＨｚ）の信号を送信又は受信するアンテナ（アンテナ部８０に相当する）と、アンテナにより第１の周波数の信号又は第２の周波数の信号が送信又は受信される際に誘起される高周波電流が伝送される導電部（信号線１０１、フレームＧＮＤ４０１に相当する）と、導電部に電気的に接続されると共に、導電部に伝送される高周波電流の経路長を高周波的に調整する高周波調整部（遮断部１２０に相当する）と、を有し、高周波調整部は、導電部に伝送される高周波電流の経路長を第１の周波数及び第２の周波数に対応する長さに高周波的に調整する、ことを特徴とする。このように構成されることにより、本発明では、従来のように高周波電流の経路長を調整するために物理的に導電部を調整する必要がなく、高周波的に高周波電流の経路長を調整することができ、レイアウト上の制限を抑制しつつ、アンテナ効率の低減を抑制することができる。
【００４４】
また、導電部は、基準電位に電気的に接続される、ことが好ましい。このように構成されることにより、本発明では、通信機器の内部に通常形成される基準電位に接続された導電部をアンテナ効率の向上の部材として利用することができ、レイアウト上の制限をさらに低減することができる。
【００４５】
また、本発明に係る通信機器では、第１の電子部品（回路基板７０に相当する）と、第２の電子部品（回路基板１０６に相当する）と、を有し、導電部（信号線１０１に相当する）は、第１の電子部品と第２の電子部品とを電気的に接続すると共に、第１の電子部品と第２の電子部品のいずれか一方からいずれか他方に送信される部品信号を伝送する、ように構成されることが好ましい。このように構成されることにより、本発明では、上記作用効果を得ると同時に信号線から放射されるノイズ又は信号線に侵入するノイズも低減することができる。
【００４６】
また、本発明に係る通信機器では、第１の筐体（操作部側筐体２に相当する）と、第２の筐体（表示部側筐体３に相当する）と、第１の筐体と第２の筐体とを連結する連結部（連結部４に相当する）と、を有し、第１の電子部品は第１の筐体に配設され、第２の電子部品は第２の筐体に配設され、導電部は、連結部の内部を介して第１の電子部品と第２の電子部品とを電気的に接続し、高周波調整部（遮断部１２０に相当する）は、連結部の内部に配設される構成であることが好ましい。このように構成されることにより、本発明では、ノイズの影響を特に受けやすい連結部内部に高周波調整部が配設されるため、信号線から放射されるノイズ又は信号線に侵入するノイズをさらに低減することができる。
【００４７】
また、本発明に係る通信機器では、高周波調整部は、導電部に伝送される高周波電流の経路長を第１の周波数（例えば、８００ＭＨｚ）に対応する波長及び第２の周波数（例えば、１．５ＧＨｚ）に対応する波長の４分の１の長さに高周波的に調整する、ように構成されることが好ましい。このように構成されることにより、好適に通信を行うことができる。
【００４８】
また、本発明に係る通信機器では、アンテナ（アンテナ部８０に相当する）により第１の周波数の信号と第２の周波数の信号のいずれの信号が送信又は受信されているか識別する制御部（周波数識別部２０１の主制御部３０２に相当する）と、高周波調整部により経路長が第１の周波数に対応する長さに高周波的に調整された第１の状態と第２の周波数に対応する長さに高周波的に調整された第２の状態との間を切り替えるように構成されるスイッチ（スイッチ２０２に相当する）と、を有する構成であることが好ましい。また、制御部は、第１の周波数の信号が送信又は受信されていると識別した場合にはスイッチの切り替えにより第１の状態に設定し、第２の周波数の信号が送信又は受信されていると識別した場合にはスイッチの切り替えにより第２の状態に設定する。
【００４９】
このように構成されることにより、本発明では、スイッチを用いて送信又は受信される信号の周波数に応じて高周波電流の経路長を高周波的に調整することで、一の高周波電流に対応する高周波調整部の影響が他の周波数に対応する高周波電流に及ばす、アンテナ効率の低減をさらに抑制することができる。
【図面の簡単な説明】
【００５０】
【図１】携帯電話機を開いた状態（第１開状態）における正面図を示す。
【図２】（Ａ）携帯電話機を開いた状態における左側面図を示し、（Ｂ）携帯電話機を開いた状態における右側面図を示す。
【図３】携帯電話機を開いた状態における背面図を示す。
【図４】連結部の透視図である。
【図５】携帯電話機の高周波電流の伝搬の様子を示す透視図である。
【図６】本発明に係る携帯電話機の連結部付近を拡大した模式図である。
【図７】各周波数におけるＧＮＤラインの模式的な長さを示す図である。
【図８】本発明に係る携帯電話機の他の実施例１に係る構成を示す図である。
【図９】本発明に係る携帯電話機の他の実施例２に係る構成を示す図である。
【図１０】本発明に係る携帯電話機の他の実施例３に係る構成を示す図である。
【符号の説明】
【００５１】
１  携帯電話機
２  操作部側筐体（第１の筐体）
３  表示部側筐体（第２の筐体）
４  連結部
７０  回路基板（第１の電子部品）
８０  アンテナ部
１０１  信号線（導電部）
１０１Ａ  信号伝送線
１０１Ｂ  接地線
１０５  第２連結部
１０６  回路基板（第２の電子部品）
１２０  遮断部（高周波調整部）
２０１  周波数識別部（判定部、制御部）
２０２  スイッチ
【図１】
0005294652.tif 000002
【図２】
0005294652.tif 000003
【図３】
0005294652.tif 000004
【図４】
0005294652.tif 000005
【図５】
0005294652.tif 000006
【図６】
0005294652.tif 000007
【図７】
0005294652.tif 000008
【図８】
0005294652.tif 000009
【図９】
0005294652.tif 000010
【図１０】
0005294652.tif 000011